(57)【特許請求の範囲】
【請求項１】
左右一対の引戸（Ａ）（Ａ）を左右対称に連動して開閉可能とした両開き引戸連動装置に於て、
上枠（Ｆ）に開閉移動自在に吊り下げた上記各引戸（Ａ）に固着したラック（２）と、
該ラック（２）に噛合し鉛直軸心（Ｖ）廻りに回転する平歯車（７）と、該平歯車（７）に同軸状に一体連結された第１のかさ歯車（５ａ）と、水平軸心（Ｈ）廻りに回転自在の連動軸（６）と、該連動軸（６）に同軸状に一体連結された第２のかさ歯車（５ｂ）と、略直方体形状のケーシング（２０）とを、備え、
上記連動軸（６）を上記ケーシング（２０）の側壁部に貫設された孔部（２１）（２１）に枢着し、上記第１のかさ歯車（５ａ）と上記第２のかさ歯車（５ｂ）が上記ケーシング（２０）内で噛合するように配設し、かつ、上記平歯車（７）を下方突出状として上記ケーシング（２０）の底壁部に枢着して、連結一体状のユニットを構成し、
左右一対の上記ケーシング（２０）（２０）を上記上枠（Ｆ）の所定固定位置に固着し、固着した左右一対の上記ケーシング（２０）（２０）の左右方向中間位置で上記連動軸（６）（６）を相互に連結して、左右の上記平歯車（７）（７）が連動して左右対称に回転するように構成したことを特徴とする引戸連動装置。
【発明の詳細な説明】
【技術分野】
【０００１】
本発明は、引戸連動装置に関する。
【背景技術】
【０００２】
従来、ワイヤを用いた引戸連動装置を備える両開きの連動引戸が提案されている（特許文献１参照）。  
【先行技術文献】
【特許文献】
【０００３】
【特許文献１】特開２００１−２０６０７号公報
【発明の概要】
【発明が解決しようとする課題】
【０００４】
しかし、従来の引戸連動装置は、ワイヤが弛んで離脱する虞れがあり、故障が頻発するという欠点があったため、ワイヤの張りを調整する弛み防止手段が必要であり、また、長期的に故障を防止するためにメンテナンスを行なう必要があった。このように、ワイヤの弛み防止手段を設けることや定期的なメンテナンスを行なうのは、厄介な作業であり、多大な手間と時間を浪費していた。
【０００５】
そこで、本発明は、メンテナンスを省いて長期間使用できる引戸連動装置を提供することを目的とする。
【課題を解決するための手段】
【０００６】
本発明に係る引戸連動装置は、左右一対の引戸を左右対称に連動して開閉可能とした両開き引戸連動装置に於て、上枠に開閉移動自在に吊り下げた上記各引戸に固着したラックと、該ラックに噛合し鉛直軸心廻りに回転する平歯車と、該平歯車に同軸状に一体連結された第１のかさ歯車と、水平軸心廻りに回転自在の連動軸と、該連動軸に同軸状に一体連結された第２のかさ歯車と、略直方体形状のケーシングとを、備え、上記連動軸を上記ケーシングの側壁部に貫設された孔部に枢着し、上記第１のかさ歯車と上記第２のかさ歯車が上記ケーシング内で噛合するように配設し、かつ、上記平歯車を下方突出状として上記ケーシングの底壁部に枢着して、連結一体状のユニットを構成し、左右一対の上記ケーシングを上記上枠の所定固定位置に固着し、固着した左右一対の上記ケーシングの左右方向中間位置で上記連動軸を相互に連結して、左右の上記平歯車が連動して左右対称に回転するように構成したものである。
【発明の効果】
【０００７】
本発明の引戸連動装置によれば、ラックと歯車群が確実に噛合して引戸を連動させるため、故障耐久性を向上できる。よって、面倒なメンテナンスを省略できる。
【図面の簡単な説明】
【０００８】
【図１】本発明の実施の一形態の使用状態を示した簡略平面図である。
【図２】本発明の実施の一形態を示した要部断面正面図である。
【図３】参考例の使用状態を示した簡略平面図である。
【図４】参考例の使用状態を示した簡略平面図である。
【図５】参考例の使用状態を示した簡略平面図である。
【図６】参考例の引戸連動装置を示した要部断面平面図である。
【図７】参考例の引戸連動装置を示した要部断面正面図である。
【図８】要部断面側面図である。
【発明を実施するための形態】
【０００９】
以下、図面に基づき本発明を詳説する。
図１と図２は、本発明の引戸連動装置の実施の一形態を示した図であり、左右一対の引戸Ａ，Ａを左右対称に連動して開閉可能とした両開き引戸連動装置に於て、出入口Ｇの天井側の上枠Ｆに開閉移動自在に吊り下げた各引戸Ａに固着したラック２と、上枠Ｆ側の所定固定位置に回転自在に設けられてラック２に噛合する歯車群１０と、左右一対の歯車群１０，１０を連動させるための連動軸６と、を具備している。本発明の引戸連動装置は、住宅、ビル、倉庫、物置等の出入口Ｇに設置され、戸袋に収納された左右いずれか一方の引戸Ａを引出す方向に移動させると、他方の引戸Ａも連動して引き出されるように構成されている。左右の引戸Ａ，Ａには、開閉操作を行なうためのハンドルＥ，Ｅが設けられている。引戸Ａの幅寸法ＷＡは、出入口Ｇの幅寸法Ｗの約１／２程度に設定され、出入口Ｇを開閉するために引戸Ａ，Ａを移動させる移動寸法Ｄが約半分に小さく済むという利点がある。
【００１０】
具体的には、図２に示すように、左右対称に配設された各歯車群１０は、ラック２に噛合する平歯車７と、平歯車７と連動軸６とを連結するベベルギヤ機構５と、を備えている。また、歯車群１０は、平歯車７とラック２との噛合状態が常時保たれるように配設している。
歯車群１０は、ケーシング２０によって連結一体状のユニットとして上枠Ｆの所定固定位置にボルト・ナットで固着されている。平歯車７は、鉛直軸心Ｖ廻りに回転自在として枢着され、ラック２と噛合している。ベベルギヤ機構５は、平歯車７と同軸状に軸着され鉛直軸心Ｖ廻りに回転するかさ歯車５ａと、連動軸６に枢着され水平軸心Ｈ廻りに回転自在のかさ歯車５ｂとを、有している。連動軸６は、ケーシング２０の側壁部に貫設された孔部２１，２１に回転自在に枢着されている。左右の歯車群１０，１０は、その中間位置で連動軸６，６を同軸状として連結し、歯車群１０，１０間で相互に動力を伝達し合うように構成している。言い換えると、左右のベベルギヤ機構５，５は、同軸連結された連動軸６，６を介して同期的に連動して回転している。つまり、引戸Ａ，Ａは、左右の歯車群１０，１０により連動し、左右対称に開閉移動するように構成されている。このようにして、本発明の引戸連動装置は、出入口Ｇが全開状態から閉鎖状態に至るまで、左右の引戸Ａ，Ａの移動寸法Ｄ，Ｄを、常に同一に保持している。その後、閉鎖状態から全開状態とする際も同様である。また、歯車群１０，１０とラック２，２とが噛合して動力を伝達する構成であるため、遊びが発生せず、左右の引戸Ａ，Ａは安定してスムーズに連動し、メンテナンスを必要とすることなく長期間の使用に耐え得る。
【００１１】
次に、引戸連動装置の参考例について説明する。
図３〜図８に示すように、参考例の引戸連動装置は、左右に各２枚の引戸Ａ，Ｂを配設し左右対称に連動して開閉可能とした両開き引戸連動装置への適用が可能である。この引戸連動装置は、戸袋に収納された左右いずれか一方の引戸Ａを引出す方向に移動させると、同じ戸袋に並設された引戸Ｂが約１／２倍の走行代をもって差動しつつ連動して引き出されると共に、他方の引戸Ａ，Ｂも連動して引き出されるように構成されている。引戸Ａの幅寸法ＷＡ及び引戸Ｂの幅寸法ＷＢは、出入口Ｇの幅寸法Ｗの約１／４倍の寸法に設定されており、出入口Ｇの幅寸法Ｗに対して引戸Ａ，Ｂを収納する左右の戸袋の幅寸法が小さく済むという利点がある。
参考例の引戸連動装置は、出入口Ｇの天井（上枠Ｆ）側に開閉移動自在に吊り下げた各引戸Ａ，Ｂに固着したラック２Ａ，２Ｂと、天井（上枠Ｆ）側の所定固定位置に回転自在に設けられてラック２Ａ，２Ｂに噛合して引戸Ａ，Ｂの走行代を差動しつつ連動させる歯車群１０と、左右一対の歯車群１０，１０を連動させるための連動軸１８と、を具備している。
【００１２】
具体的には、図６〜図８に示すように、左右の各歯車群１０は、引戸Ｂのラック２Ｂに噛合する平歯車１２と、平歯車１２に噛合する小ギヤ部１６と引戸Ａのラック２Ａに噛合可能な大ギヤ部１７とを備える２段ギヤ１１と、２段ギヤ１１とは離れた所定位置に配設され大ギヤ部１７とは別の箇所で引戸Ａのラック２Ａに噛合可能なスペア歯車１３とを、天井側の上枠Ｆに回転自在に設けている。さらに、２段ギヤ１１とスペア歯車１３とを連動軸１８を介して連動させる複数のベベルギヤ機構１４，１５とを、具備している。歯車群１０は、２段ギヤ１１の大ギヤ部１７と他のラック２Ａとの噛合状態と、スペア歯車１３と他のラック２Ａとの噛合状態とのうち、少なくとも一方が常時保たれるように配設している。
２段ギヤ１１は、小ギヤ部１６を平歯車１２の１／２倍の歯数に設定し、大ギヤ部１７を平歯車１２と同じ歯数（小ギヤ部１６の２倍の歯数）に設定している。２段ギヤ１１は、所定固定位置にて第１鉛直軸心Ｖ１廻りに回転自在に枢着されている。
平歯車１２は、所定固定位置にて第２鉛直軸心Ｖ２廻りに回転自在に枢着され、ラック２Ｂと２段ギヤ１１の小ギヤ部１６と常時噛合している。
つまり、２段ギヤ１１の回転数Ｎ１に対して、平歯車１２の回転数Ｎ２が１／２倍になるように減速している。従って、引戸Ａ及び引戸Ｂは、ラック２Ａの移動寸法ＤＡに対して、ラック２Ｂの移動寸法ＤＢが１／２倍として走行代を差動しつつ連動している。
【００１３】
スペア歯車１３は、大ギヤ部１７及び平歯車１２と同じ歯数を有し、第１鉛直軸心Ｖ１から長さ寸法Ｌをもって離れた所定固定位置に配設される第３鉛直軸心Ｖ３廻りに回転自在に枢着されている。長さ寸法Ｌは、引戸Ａの幅寸法ＷＡよりも小さく設定している。ラック２Ａの移動寸法ＤＡに対するスペア歯車１３の回転数Ｎ３は、２段ギヤ１１の回転数Ｎ１と同一となっている。
ベベルギヤ機構１４，１５は、互いに直交する２つの軸心廻りに回転する一対のかさ歯車から構成されている。一方のベベルギヤ機構１４は、２段ギヤ１１と同軸状に軸着され第１鉛直軸心Ｖ１廻りに回転するかさ歯車１４ａと、連動軸１８に枢着され水平軸心Ｈ廻りに回転自在のかさ歯車１４ｂとを、有している。他方のベベルギヤ機構１５は、スペア歯車１３と同軸状に軸着され第３鉛直軸心Ｖ３廻りに回転するかさ歯車１５ａと、連動軸１８に枢着され水平軸心Ｈ廻りに回転自在のかさ歯車１５ｂとを、有している。
連動軸１８は、かさ歯車１４ｂ，１５ｂを連結し、２つのベベルギヤ機構１４，１５を連動している。つまり、２段ギヤ１１とスペア歯車１３は、同期的に連動して回転するように構成している。
【００１４】
また、左右の歯車群１０，１０は、各々をケーシング２０によってユニット化して上枠Ｆに左右対称に取着可能とし、連動軸１８，１８を相互に同軸連結して同期的に回転するように構成している。
具体的には、横長のケーシング２０の下方に、平歯車１２と、２段ギヤ１１と、スペア歯車１３とが、突出するように枢着し、ケーシング２０内に、ベベルギヤ機構１４，１５を内設している。歯車群１０は、ケーシング２０により連結一体状のユニットとして上枠Ｆにボルト・ナットで固定されている。また、ケーシング２０の側壁部には、孔部２１，２１が貫設され、連動軸１８が水平軸心Ｈ廻りに回転自在に枢支されている。連動軸１８，１８は、ケーシング２０の一方側から外方に延伸し、左右の歯車群１０，１０の中間位置で同軸状に連結され、歯車群１０，１０間で相互に動力を伝達し合うように構成している。
【００１５】
図８に示すように、上枠Ｆには、引戸Ａ，Ｂの開閉移動方向に沿って左右一対のガイドレール３，３が固着されている。各ガイドレール３は、吊下部材４を介して引戸Ａ，Ｂを吊り下げている。ラック２Ａ，２Ｂは、引戸Ａ，Ｂを支持する各々の吊下部材４の内側に固着され、スペーサーＳにて底上げして平歯車１２、２段ギヤ１１及びスペア歯車１３に噛合するように配設されている。なお、上枠Ｆ及び吊下部材４が外部から見えないように、カバーＣを設けるも好ましい。
ガイドレール３，３は、出入口Ｇ（図１及び図３〜図５参照）の左右方向中央位置へ向けて次第に下るように緩く傾斜させて配設されている。この構成により、出入口Ｇが開放されている状態で、引戸ＡのハンドルＥから手を離すだけで、各引戸Ａ，Ｂの自重により、出入口Ｇの左右方向中央位置に引戸Ａ，Ｂが移動して、自動的に出入口Ｇを閉鎖することができるのである。また、図示省略するが、引戸Ａ，Ｂに、滑車を介してバランスウェイトを吊設し、出入口Ｇを開放する方向に制動力を作用させている。このようにして、ハンドルＥから手を離した際に、引戸Ａ，Ｂがゆっくりと移動して、安全かつ静かに出入口Ｇを閉鎖するように構成している。左右の各引戸Ａ，Ｂは、戸袋に収納された状態では、バランスウェイトにより出入口Ｇを全開放したまま保持し、引戸ＡのハンドルＥに（左右方向中央位置へ向けて）軽く力を加えるだけで半自動的に出入口Ｇを閉鎖することができるように構成するも好ましい。
【００１６】
上述した引戸連動装置の使用方法（作用）について説明する。
図３に示すように、左右の引戸Ａ，Ｂが戸袋に収納されて出入口Ｇが開放されている全開状態に於て、ハンドルＥを軽く押し、（自重により、）引戸Ａ，Ａを出入口Ｇの左右方向中央位置に移動させる。この際、引戸Ａのラック２（２Ａ）と２段ギヤ１１の大ギヤ部１７とが噛合し、引戸Ａが引き出されるのに伴って、ラック２Ａが２段ギヤ１１に回転力を付与し、２段ギヤ１１の回転数Ｎ１を１／２倍の回転数Ｎ２に減速しつつ小ギヤ部１６から平歯車１２に回転力を伝えて、平歯車１２に噛合するラック２Ｂに移動力を付与し、引戸Ｂが連動して引き出される。また、右側の引戸Ａ，Ｂと、左側の引戸Ａ，Ｂとは、相互に動力を伝達するように構成されており、左右対称に同じ寸法だけ連動して引き出される。
【００１７】
図４に示すように、左右の各引戸Ａ，Ｂが、同一の寸法ずつ出入口Ｇの途中まで引き出された半開状態に於て、引戸Ａが移動寸法ＤＡまで引き出されると、引戸Ｂは、引戸Ａの移動寸法ＤＡの１／２倍の移動寸法ＤＢだけ引き出される。言い換えると、引戸Ａと引戸Ｂは、２段ギヤ１１及び平歯車１２により２対１の走行代をもって差動しつつ連動して開閉する。この際、ラック２Ａは、大ギヤ部１７に噛合しつつスペア歯車１３に到達して噛合する。つまり、ラック２Ａは、２段ギヤ１１の大ギヤ部１７及びスペア歯車１３の両方に噛合した状態となる。
【００１８】
さらに、図５に示すように、左右の各引戸Ａ，Ｂが引き出され、出入口Ｇを幅寸法Ｗにわたって閉鎖した閉鎖状態に於て、引戸Ａのラック２Ａは、大ギヤ部１７との噛合を解除し、スペア歯車１３との噛合状態を保持する。スペア歯車１３は、ベベルギヤ機構１４，１５を介して２段ギヤ１１に回転力を伝達し、平歯車１２を回転させて引戸Ｂのラック２Ｂに移動力を付与し続ける。
このようにして、引戸連動装置は、全開状態から閉鎖状態に至るまで、引戸Ａの移動寸法ＤＡと、引戸Ｂの移動寸法ＤＢとを、２対１の関係に保持する。その後、閉鎖状態から全開状態とする際も同様である。
また、歯車群１０とラック２Ａ，２Ｂとの間には、遊びが発生せず、引戸Ａ，Ｂは安定してスムーズに連動し、メンテナンスを必要とすることなく長期間の使用に耐え得る。
【００１９】
なお、本発明は、上述の実施形態に限定されるものではなく、例えば、本発明の要旨を逸脱しない範囲であれば、歯車群１０の配列や配設位置等を設計変更するも自由である。また、連動軸６，６（連動軸１８，１８）は、自在継手（ユニバーサルジョイント）を介して連結するのが良い場合もある。
【００２０】
以上のように、本発明に係る引戸連動装置は、左右一対の引戸Ａ，Ａを左右対称に連動して開閉可能とした両開き引戸連動装置に於て、上枠Ｆに開閉移動自在に吊り下げた各引戸Ａに固着したラック２と、上枠Ｆ側の所定固定位置に回転自在に設けられてラック２に噛合する歯車群１０と、左右一対の歯車群１０，１０を連動させるための連動軸６と、を具備するので、ラック２と歯車群１０が確実に噛合して引戸Ａを移動させ、故障耐久性を向上できる。また、歯車群１０，１０とラック２，２との間に遊びを発生させず、左右の引戸Ａ，Ａを安定してスムーズに連動でき、メンテナンスを省略して長期間使用できる。
【００２１】
また、左右一対の引戸Ａ，Ａを左右対称に連動して開閉可能とした両開き引戸連動装置に於て、上枠Ｆに開閉移動自在に吊り下げた上記各引戸Ａに固着したラック２と、上枠Ｆ側の所定固定位置に回転自在に設けられてラック２に噛合する歯車群１０と、左右一対の歯車群１０，１０を連動させるための連動軸６と、を具備し、歯車群１０は、ラック２に噛合する平歯車７と、平歯車７と連動軸６とを連結するベベルギヤ機構５と、を備え、平歯車７とラック２との噛合状態が常時保たれるように配設したので、ラック２と歯車群１０が確実に噛合して引戸Ａを移動させ、故障耐久性を向上できる。また、歯車群１０，１０とラック２，２との間に遊びを発生させず、左右の引戸Ａ，Ａを安定してスムーズに連動でき、メンテナンスを省略して長期間使用できる。
【００２２】
左右に各２枚の引戸Ａ，Ｂを配設し左右対称に連動して開閉可能とした両開き引戸連動装置に於て、上枠Ｆに開閉移動自在に吊り下げた各引戸Ａ，Ｂに固着したラック２Ａ，２Ｂと、上枠Ｆ側の所定固定位置に回転自在に設けられてラック２Ａ，２Ｂに噛合して引戸Ａ，Ｂの走行代を差動しつつ連動させる歯車群１０と、左右一対の歯車群１０，１０を連動させるための連動軸１８と、を具備するので、左右の各ラック２Ａ，２Ｂと歯車群１０が確実に噛合して引戸Ａ，Ｂを連動させ、故障耐久性を向上できる。歯車群１０，１０とラック２Ａ，２Ｂとの間に遊びを発生させず、左右の引戸Ａ，Ｂを安定してスムーズに連動でき、メンテナンスを省略して長期間使用できる。
【００２３】
また、左右に各２枚の引戸Ａ，Ｂを配設し左右対称に連動して開閉可能とした両開き引戸連動装置に於て、上枠Ｆに開閉移動自在に吊り下げた各引戸Ａ，Ｂに固着したラック２Ａ，２Ｂと、上枠Ｆ側の所定固定位置に回転自在に設けられてラック２Ａ，２Ｂに噛合して引戸Ａ，Ｂの走行代を差動しつつ連動させる歯車群１０と、左右一対の歯車群１０，１０を連動させるための連動軸１８と、を具備し、歯車群１０は、一のラック２Ｂに噛合する平歯車１２と、平歯車１２の１／２倍の歯数を有すると共に平歯車１２に噛合する小ギヤ部１６と平歯車１２と同じ歯数を有する大ギヤ部１７とを備える２段ギヤ１１と、大ギヤ部１７及び平歯車１２と同じ歯数を有するスペア歯車１３と、２段ギヤ１１とスペア歯車１３とを連動軸１８を介して連動させる複数のベベルギヤ機構１４，１５と、を備え、大ギヤ部１７と他のラック２Ａとの噛合状態と、スペア歯車１３と他のラック２Ａとの噛合状態とのうち、少なくとも一方が常時保たれるように配設したので、左右の各ラック２Ａ，２Ｂと歯車群１０が確実に噛合して引戸Ａ，Ｂを連動させ、故障耐久性を向上できる。また、全開状態から閉鎖状態に至るまで、引戸Ａの移動寸法ＤＡと、引戸Ｂの移動寸法ＤＢとを、２対１の関係に保持できる。さらに、歯車群１０，１０とラック２Ａ，２Ｂとの間に遊びを発生させず、左右の引戸Ａ，Ｂを安定してスムーズに連動でき、メンテナンスを省略して長期間使用できる。
【００２４】
また、歯車群１０，１０は、各々をケーシング２０によってユニット化して上枠Ｆに左右対称に取着可能としたので、取付が容易であり、かつ、故障耐久性をより一層向上できる。
【符号の説明】
【００２５】
２，２Ａ，２Ｂ  ラック
５  ベベルギヤ機構
５ａ，５ｂ  かさ歯車
６  連動軸
７  平歯車
１０  歯車群
１１  ２段ギヤ
１２  平歯車
１３  スペア歯車
１４  ベベルギヤ機構
１５  ベベルギヤ機構
１６  小ギヤ部
１７  大ギヤ部
１８  連動軸
２０  ケーシング
２１  孔部
Ａ，Ｂ  引戸
Ｆ  上枠
Ｈ  水平軸心
Ｖ  鉛直軸心
【図１】
0005271343.tif 000002
【図２】
0005271343.tif 000003
【図３】
0005271343.tif 000004
【図４】
0005271343.tif 000005
【図５】
0005271343.tif 000006
【図６】
0005271343.tif 000007
【図７】
0005271343.tif 000008
【図８】
0005271343.tif 000009